(57)【要約】      （修正有）【課題】回転型ＵＳＢコネクタと携帯型電子機器との間の摩擦的な位置決めにおいて、摩耗の問題が生じることにより、製品の品質および寿命が低下するのを防止する構造を提供する。【解決手段】電子機器に応用される回転型ＵＳＢ（Ｕｎｉｖｅｒｓａｌ  Ｓｅｒｉａｌ  Ｂｕｓ）コネクタの位置決め構造であって、凹部空間２２０の表面を覆う弾性層と、回転型ＵＳＢコネクタの回転端２１４に設けられている第１の係合部２４０と、弾性層上に設けられている第２の係合部２５０とを備えている。第２の係合部２５０の材質は弾性層と同じである。このうち回転型ＵＳＢコネクタが回転して凹部空間２２０から突出したとき、第１の係合部２４０のうちの一つが第２の係合部２５０に係合する。【選択図】図３
0003146703.tif 000002
【実用新案登録請求の範囲】
【請求項１】
回転型ＵＳＢコネクタを電子機器の凹部空間内に位置決めするための回転型ＵＳＢ（Ｕｎｉｖｅｒｓａｌ  Ｓｅｒｉａｌ  Ｂｕｓ）コネクタの位置決め構造であって、
前記凹部空間の表面を覆う弾性層と、
回転方向に沿って前記回転型ＵＳＢコネクタの回転端に設けられている複数の第１の係合部と、
前記回転端に対応して前記弾性層上に設けられており、材質が前記弾性層と同じである第２の係合部と、を備え、
前記回転型ＵＳＢコネクタが回転して前記凹部空間から突出したとき、前記複数の第１の係合部のうちの一つが前記第２の係合部に係合する、ことを特徴とする回転型ＵＳＢコネクタの位置決め構造。
【請求項２】
前記弾性層および前記第２の係合部の材質が熱可塑性弾性体（Ｔｈｅｒｍｏｐｌａｓｔｉｃ  Ｅｌａｓｔｏｍｅｒ；ＴＰＥ）を含む、ことを特徴とする請求項１に記載の回転型ＵＳＢコネクタの位置決め構造。
【請求項３】
回転型ＵＳＢコネクタを電子機器の凹部空間内に位置決めするための回転型ＵＳＢ（Ｕｎｉｖｅｒｓａｌ  Ｓｅｒｉａｌ  Ｂｕｓ）コネクタの位置決め構造であって、
前記回転型ＵＳＢコネクタの回転端を覆う弾性層と、
回転方向に沿って前記弾性層上に設けられており、材質が前記弾性層と同じである複数の第１の係合部と、
前記回転端に対応して前記凹部空間の表面に設けられている第２の係合部と、を備え、
前記回転型ＵＳＢコネクタが回転して前記凹部空間から突出したとき、前記複数の第１の係合部のうちの一つが前記第２の係合部に係合する、ことを特徴とする回転型ＵＳＢコネクタの位置決め構造。
【請求項４】
前記弾性層および前記複数の第１の係合部の材質が熱可塑性弾性体（Ｔｈｅｒｍｏｐｌａｓｔｉｃ  Ｅｌａｓｔｏｍｅｒ；ＴＰＥ）を含む、ことを特徴とする請求項３に記載の回転型ＵＳＢコネクタの位置決め構造。
【考案の詳細な説明】
【技術分野】
【０００１】
本考案は回転型ＵＳＢコネクタに関し、特に回転型ＵＳＢコネクタの位置決め構造に関する。
【背景技術】
【０００２】
情報科学技術の高度な発展に伴い、コンピュータ周辺機器の応用もますます普及するようになっており、ＵＳＢ（Ｕｎｉｖｅｒｓａｌ  Ｓｅｒｉａｌ  Ｂｕｓ）は携帯型電子機器にて常用される標準的な接続インターフェイスとなっている。
【０００３】
ＵＳＢ接続インターフェイスは、携帯型電子機器の筐体の外側に露出して、コンピュータに接続されるわけであるが、ＵＳＢ接続インターフェイスが衝撃を受けて損傷しないようにするために、携帯型電子機器では回転型ＵＳＢコネクタ構造が用いられることが多い。携帯型電子機器をコンピュータに接続するときには、回転型ＵＳＢコネクタを立ち上げて、ＵＳＢ接続インターフェイスを露出させる。そして、コンピュータに接続する必要がないときには、回転型ＵＳＢコネクタを閉じて、ＵＳＢ接続インターフェイスを収容する。
【考案の開示】
【考案が解決しようとする課題】
【０００４】
しかし、使用回数が増えるにつれて、回転型ＵＳＢコネクタと携帯型電子機器との間の摩擦的な位置決めにおいて、摩耗の問題が生じることにより、製品の品質および寿命の低下に繋がる。
【０００５】
したがって、回転型ＵＳＢコネクタの製品寿命を如何に伸ばすかということは、かなり重要な課題となっている。
【０００６】
本考案の目的は、回転型ＵＳＢコネクタの位置決め時における摩耗を減らすための回転型ＵＳＢコネクタを提供するところにある。
【課題を解決するための手段】
【０００７】
本考案は、回転型ＵＳＢコネクタを電子機器の凹部空間内に位置決めするための回転型ＵＳＢ（Ｕｎｉｖｅｒｓａｌ  Ｓｅｒｉａｌ  Ｂｕｓ）コネクタの位置決め構造を提供するものである。回転型ＵＳＢコネクタの位置決め構造は、凹部空間の表面を覆う弾性層と、複数の第１の係合部と、第２の係合部とを備えている。第１の係合部は回転方向に沿って回転型ＵＳＢコネクタの回転端に設けられている。第２の係合部は回転端に対応して弾性層上に設けられている。第２の係合部の材質は弾性層と同じであって、回転型ＵＳＢコネクタが回転して凹部空間から突出したとき、第１の係合部のうちの一つが第２の係合部に係合する。
【０００８】
第１の係合部は複数の突起とし、第２の係合部は溝とすることができ、または第１の係合部は複数の溝とし、第２の係合部は突起とすることができるものであって、このうち突起は長尺状の突起とし、溝は長尺状の溝とすることができる。回転端は円弧状表面を含み、第１の係合部が円弧状表面に設けられる。弾性層および第２の係合部の材質は熱可塑性弾性体（Ｔｈｅｒｍｏｐｌａｓｔｉｃ  Ｅｌａｓｔｏｍｅｒ；ＴＰＥ）を含む。このうち弾性層はさらに電子機器の側面を覆っている。
【０００９】
本考案の他の態様は、回転型ＵＳＢコネクタの回転端を覆う弾性層と、複数の第１の係合部と、第２の係合部とを備えた回転型ＵＳＢ（Ｕｎｉｖｅｒｓａｌ  Ｓｅｒｉａｌ  Ｂｕｓ）コネクタの位置決め構造である。第１の係合部は回転方向に沿って弾性層上に設けられており、第１の係合部の材質は弾性層と同じである。第２の係合部は回転端に対応して凹部空間の表面に設けられており、回転型ＵＳＢコネクタが回転して凹部空間から突出したとき、第１の係合部のうちの一つが第２の係合部に係合する。
【００１０】
第１の係合部は複数の突起とし、第２の係合部は溝とすることができ、または第１の係合部は複数の溝とし、第２の係合部は突起とすることができるものであって、このうち溝は長尺状の溝とし、突起は長尺状の突起とすることができる。回転端は円弧状表面を含み、弾性層が円弧状表面を覆い、第１の係合部が前記円弧状表面に沿って配設されている。弾性層および第１の係合部の材質は熱可塑性弾性体（Ｔｈｅｒｍｏｐｌａｓｔｉｃ  Ｅｌａｓｔｏｍｅｒ；ＴＰＥ）を含む。
【考案の効果】
【００１１】
本考案の回転型ＵＳＢコネクタの位置決め装置は、電子機器の凹部空間または回転型ＵＳＢコネクタに弾性層が設けられることで、回転型ＵＳＢコネクタと凹部空間の筐体との摩擦を緩和するとともに、第１の係合部および第２の係合部で回転型ＵＳＢコネクタの位置決めの節度感を高めることができる。
【考案を実施するための最良の形態】
【００１２】
以下にて、図面および詳細な説明により本考案の技術的思想を説明するが、当業者であれば本考案の好ましい実施例を理解した後、本考案に開示する技術により、改変および付加を加えることができるものであり、これは本考案の技術的思想および範囲から逸脱するものではない。
【００１３】
本考案の回転型ＵＳＢ（Ｕｎｉｖｅｒｓａｌ  Ｓｅｒｉａｌ  Ｂｕｓ）コネクタの位置決め構造を応用した電子機器の好ましい実施例を示す分解図である図１を参照する。電子機器１００には、回転型ＵＳＢコネクタ１１０と、回転型ＵＳＢコネクタ１１０を収容するための凹部空間１２０とが備えられている。回転型ＵＳＢコネクタ１１０は、ＵＳＢ接続インターフェイス１１２と、ＵＳＢ接続インターフェイス１１２に対応する回転端１１４とを備えている。回転型ＵＳＢコネクタ１１０の回転端１１４は凹部空間１２０内に枢設されており、回転型ＵＳＢコネクタ１１０を回転させて凹部空間１２０から突出させて、ＵＳＢ接続インターフェイス１１２を露出させるか、または回転して凹部空間１２０に収容してＵＳＢ接続インターフェイス１１２を保護している。
【００１４】
回転型ＵＳＢコネクタ１１０の位置決め構造は、凹部空間１２０の表面を覆う弾性層１３０と、回転型ＵＳＢコネクタ１１０上に設けられている複数の第１の係合部１４０と、弾性層１３０上に設けられている第２の係合部１５０と、を備えている。回転型ＵＳＢコネクタ１１０の回転端１１４は円弧状表面を有し、第１の係合部１４０は回転型ＵＳＢコネクタ１１０の回転方向に沿って円弧状表面上に配設されている。
【００１５】
第２の係合部１５０の材質は弾性層１３０と同じである。弾性層１３０および第２の係合部１５０の材質は熱可塑性弾性体（Ｔｈｅｒｍｏｐｌａｓｔｉｃ  Ｅｌａｓｔｏｍｅｒ；ＴＰＥ）を含む。弾性層１３０はさらに電子機器１００の側面を覆っている。側面上の弾性層１３０および弾性層１３０は、二種類の材料による成型または射出成型の方式で、軟質材料の弾性層１３０が硬質材料の電子機器の筐体上を被覆している。
【００１６】
本実施例において、第１の係合部１４０は突起とし、第２の係合部１５０は溝とするものであり、このうち第１の係合部１４０は長尺状の突起とし、第２の係合部１５０は長尺状の溝とすることができる。その他の実施例においては、第１の係合部１４０は長尺状の溝とし、そして第２の係合部１５０は長尺状の突起とすることができる。
【００１７】
さらに、それぞれ本考案を応用した電子機器の好ましい実施例における異なる使用状態を示す概略図である図２Ａおよび図２Ｂを参照する。図２Ａは、回転型ＵＳＢコネクタ１１０が回転して電子機器１００の凹部空間１２０に収容された状態であり、一方、回転型ＵＳＢコネクタ１１０が回転して凹部空間１２０から突出するときには、図２Ｂに示すように、回転型ＵＳＢコネクタ１１０が回転して凹部空間１２０から突出して、ＵＳＢ接続インターフェイス１１２を露出させて、コンピュータシステムに接続される。
【００１８】
回転型ＵＳＢコネクタ１１０が回転して凹部空間１２０から突出したとき、回転端１１４上の第１の係合部１４０のうちの一つが弾性層１３０上の第２の係合部（図示しない）に係合することで、回転型ＵＳＢコネクタ１１０を位置決めする。このうち、凹部空間１２０の表面を覆う弾性層１３０および第２の係合部の材質が軟質の合成樹脂であり、一方、回転型ＵＳＢコネクタ１１０および第１の係合部１４０の材質が硬質の合成樹脂である。
【００１９】
回転型ＵＳＢコネクタ１１０が回転したとき、弾性層１３０が回転端１１４と凹部空間１２０との間の摩擦を効果的に緩和することで、従来のような回転端１１４と凹部空間１２０とが直接擦れ合って摩耗する不具合を改善することができる。そして本実施例ではさらに、回転端１１４および弾性層１３０上に、第１の係合部１４０と、第２の係合部１５０（図１を参照）がそれぞれ設けられ、第１の係合部１４０と第２の係合部１５０との係合により回転型ＵＳＢコネクタ１１０を位置決めするとともに、位置決めの節度感を高めている。第１の係合部１４０と第２の係合部１５０との間の軟質媒体−硬質媒体により、硬質媒体−硬質媒体での摩耗を防止するとともに、軟質媒体−軟質媒体との間の粘着という不具合を防止することができる。
【００２０】
本考案の回転型ＵＳＢコネクタの位置決め構造を応用した電子機器の他の好ましい実施例を示す分解図である図３を参照する。回転型ＵＳＢコネクタ２１０の回転端２１４が円弧状表面を有し、弾性層２３０が回転端２１４の円弧状表面上を覆っている。第１の係合部２４０が弾性層２３０上に設けられ、第１の係合部２４０は円弧状表面に沿って配設されている。第２の係合部２５０が凹部空間２２０における回転端２１４に対応する位置に設けられている。このうち、第１の係合部２４０の材質および弾性層２３０の材質を同じく熱可塑性弾性体とすることができる。そして第２の係合部２５０の材質が電子機器２００の筐体と同じである。
【００２１】
本実施例においては、第１の係合部２４０は突起とし、第２の係合部２５０は溝とすることができ、回転型ＵＳＢコネクタ２１０が回転して凹部空間２２０から突出し、ＵＳＢ接続インターフェイス２１２を露出させたとき、第１の係合部２４０のうちの一つが第２の係合部２５０に係合して、回転型ＵＳＢコネクタ２１０の位置決めの節度感を高めている。第１の係合部２４０と第２の係合部２５０との間の軟質媒体−硬質媒体により硬質媒体−硬質媒体での摩耗を効果的に防止して、製品の信頼性および製品寿命を向上させることができる。
【００２２】
上記した本考案の好ましい実施例から理解できるように、本考案を応用することで以下のような長所を備えることになる。本考案の回転型ＵＳＢコネクタの位置決め装置は、電子機器の凹部空間または回転型ＵＳＢコネクタに弾性層が設けられることで、回転型ＵＳＢコネクタと凹部空間の筐体との摩擦を緩和するとともに、第１の係合部および第２の係合部で回転型ＵＳＢコネクタの位置決めの節度感を高めることができる。
【００２３】
確かに本考案ではいくつかの実施例を上記のように開示したが、これは本考案を限定するためのものではなく、当業者であれば、本考案の技術的思想および範囲を逸脱することなく、各種の変更および修正を行うことができるので、本考案の保護範囲は別紙の実用新案登録請求の範囲による限定を基準と見なす。
【図面の簡単な説明】
【００２４】
本考案の上記およびその他目的、特徴、長所および実施例をより明確に理解できるよう、添付の図面の詳細な説明を下記のとおり行う。
【図１】本考案の回転型ＵＳＢコネクタの位置決め構造を応用した電子機器の好ましい実施例を示す分解図である。
【図２Ａ】本考案を応用した電子機器の好ましい実施例における使用状態を示す概略図である。
【図２Ｂ】本考案を応用した電子機器の好ましい実施例における使用状態を示す概略図である。
【図３】本考案の回転型ＵＳＢコネクタの位置決め構造を応用した電子機器の他の好ましい実施例を示す分解図である。
【符号の説明】
【００２５】
１００…電子機器、  １１０…回転型ＵＳＢコネクタ、  １１２…ＵＳＢ接続インターフェイス、  １１４…回転端、  １２０…凹部空間、  １３０…弾性層、  １４０…第１の係合部、  １５０…第２の係合部、  ２００…電子機器、  ２１０…回転型ＵＳＢコネクタ、  ２１２…ＵＳＢ接続インターフェイス、  ２１４…回転端、  ２２０…凹部空間、  ２３０…弾性層、  ２４０…第１の係合部、  ２５０…第２の係合部。
【図１】
0003146703.tif 000003
【図２Ａ】
0003146703.tif 000004
【図２Ｂ】
0003146703.tif 000005
【図３】
0003146703.tif 000006